(57)【要約】本発明は、健康マッサージパック関するもので、耐熱性と伸縮性が良い軟質樹脂材のパックを製造する際に、口部側には硬質樹脂のナット管をインサートモールディング構造で埋入し、前記ナット管を取り囲むパック本体部のカバーリング構造によりふた体が別途のパッキング素材がなくても安全に密閉機能を発揮することができ、パック本体部の内部にはマッサージローラーを内蔵した後にパックの後方側をホットメルトタイプで密封をさせた構造を提供することで、本発明の目的である指圧マッサージ効果を有する。【選択図】図１
2015531647.tif 000002
【特許請求の範囲】
【請求項１】
耐熱性軟質樹脂材からなったパック本体部１の締結部３の内側にナット管４を埋入形成して前記ナット管４の内・外側がパック本体部１と連結された突環部５に支持され、前記ナット管４に栓６を結合する際に前記突環部５がナット管４と固定片６２との間に位置してパッキングの機能を兼ねることができ、前記パック本体部１の内部には天然石材からなったマッサージローラー８を内蔵して密封することを特徴とする健康マッサージパック。
【発明の詳細な説明】
【技術分野】
【０００１】
本発明は、健康マッサージパックに関し、より詳しくは、温水や冷水をパック内に入れて温熱や冷気を利用して身体部位をマッサージすることで、疲労回復、健康増進、疾病治療や予防など多様な目的を達成することができる健康マッサージパックに関する。
【背景技術】
【０００２】
通常、マッサージパックは、軟質樹脂材や防水布紙材などを利用して密閉ふたが開閉されるように構成され、冬にはパック内部に温水を入れると温熱マッサージパックになり、夏にはパック内部に冷水や氷を入れると冷マッサージパックになる。
【０００３】
本発明は、このような一般的なマッサージパックを利用するが、マッサージパック容器の内部にマッサージローラーを追加で構成して温熱や冷マッサージパックで使用することで、内蔵された硬い指圧マッサージローラーにより身体部位を押して圧迫運動を付与して本来の機能であるマッサージ効果を発揮しながら内蔵された前記マッサージローラーにより身体要所に圧迫マッサージ効果を同時に付与して健康増進に寄与する。
【発明の概要】
【発明が解決しようとする課題】
【０００４】
本発明は、マッサージパックを軟質樹脂材の容器形態で構成するが、パックの製作時にパック内部に遠赤外線放射効果が良い麦飯石や花崗岩などの材質からなったマッサージローラーを一緒に内蔵して温水と冷水が自由に流通しながら外部側にマッサージ機能を付与し、特に、ふたの結合構造を合理的に改善して内部の液体が外部に絶対漏出されないようにして安全性と耐久性を大きく向上させた健康マッサージパックを提供することを目的とする。
【課題を解決するための手段】
【０００５】
本発明は、耐熱性と伸縮性が良い軟質樹脂材のパックを製造する際に、口部部側には硬質樹脂のナット管をインサートモールディング(ｉｎｓｅｒｔ ｍｏｌｄｉｎｇ)構造で埋入し、前記ナット管を取り囲むパック本体部のカバーリング(ｃｏｖｅｒｉｎｇ)構造によりふた体が別途のパッキング素材がなくても安全に密閉機能を発揮することができ、パック本体部の内部にはマッサージローラーを内蔵した後にパックの後方側をホットメルト(Ｈｏｔ ｍｅｌｔ)タイプで密封させた構造を提供することで、本発明の目的である指圧マッサージ効果を有するマッサージパックを構成した。
【発明の効果】
【０００６】
本発明のマッサージパックを使用する場合、温熱や冷マッサージパックの本来機能を達成すると共に、必要によって身体要所に良好な指圧マッサージ効果を付与することにより、ストレス解消、血液循環促進、マッサージ効果、消化促進、新陳代謝活性化、神経痛の予防と治療、各種関節疾患の治療と予防など多様な健康増進効果を発揮することができる。
【図面の簡単な説明】
【０００７】
【図１】図１は、本発明の斜視図である。
【０００８】
【図２】図２は、本発明の断面図である。
【０００９】
【図３】図３は、本発明の栓が閉鎖された状態の断面図である。
【００１０】
【図４】図４は、マッサージローラーの他の実施例を示した断面図である。
【発明を実施するための形態】
【００１１】
図１は、本発明の一部を切開した斜視図であり、図２は、本発明の構成断面図であり、図３は、本発明のうち栓密封部の密閉状態を示した断面図である。
【００１２】
パック本体部１は、容器形態で構成され、内部には水収容室１１が形成される。入口部２は、栓６が密閉状態で結合される締結部３で構成される。
【００１３】
前記パック本体部１の材質は、耐熱性軟質樹脂材で構成され、締結部３の内側には硬質のナット管４がインサートモールディング(ｉｎｓｅｒｔ ｍｏｌｄｉｎｇ)工程で一体に内蔵される。
【００１４】
また、前記ナット管４は、内・外側に突環部５で支持されて離脱が防止されると同時に、前記突環部５は、栓６と結合する際にパッキングの役目を兼ねている。
【００１５】
前記栓６は、外側に取っ手６１を有し、内側にはネジ部７を有して前記ナット管４と螺合され、前記ネジ部７の内側には、前記突環部５の外に接触される固定片６２が一体に形成されて、ネジ部７がナット管４に結合される際に、パック本体部１の突環部５が固定片６２とナット管４との間でパッキングの役目をするように構成する。
【００１６】
パック本体部１の内部には、天然石材からなったマッサージローラー８を内蔵する。マッサージローラー８は、遠赤外線放射効果を有する麦飯石やバイオセラミックス鉱石、または花崗岩など天然石材を利用することができ、別途実施例として、図４のように合成樹脂材で構成してもよい。
【００１７】
マッサージマックは、パック本値部１の後方を開放形態で成形した後にマッサージローラー８を内蔵し、その後、開放されたパック本体部１の後方を熱接着して製造することができる。
【００１８】
一方、前記マッサージローラー８は、中央と側方に水が流通するように開口部９、１０を穿孔して構成することが好ましい。
【００１９】
以上のように、本発明は、主に健康補助器具として身体要部に温水マッサージや冷水マッサージをする際に使用することで、栓６をナット管４からネジ式で解離するか結合して、パック本体部１内に温水を入れると、温熱マッサージパックで使用することができ、冷水や氷を入れると、冷マッサージパックで使用することができる。
【００２０】
本発明は、パック本体部１の外部を感触が柔らかい布でカバーして身体の腹部や腕、足など身体要部に接触して圧迫するか擦ると、冷・湿マッサージ効果を得ることができ、特に、冬期に本発明のパック本体部１内に熱い温水を入れて布団の中に入れて置けば、防寒機能が非常に優秀であり、保温器具としても広く活用することができる。
【００２１】
また、マッサージパックで使用中、パック本体部１の全体を身体の腹部や腕、足などに乗せて圧力するか、背、腰部位を押すか、部屋の底にパック本体部１をおいた状態で背、腰を上方から体重を利用して圧迫するか首部位を擦るか、またはパック本体部１を枕にすると、暖かいかあるいは凉しい枕の役目もするようになるので、身体全般に対して温熱と圧迫により新陳代謝の活性化、血液循環促進、ストレス解消など健康増進機能を多様に達成することができる。
【００２２】
一方、本発明の栓６の結合構造は、締結部３に内蔵したナット管４が軟質樹脂材からなったパック本体部１にインサートモールディング工法で内蔵され、ナット管４の両端が突環部５により取り囲まれて固定されるので、ナット管４が使用中に外部に離脱しないで堅固な埋入状態を維持するようになり、前記突環部５は、栓６が結合された時、固定片６２により圧迫されて突環部５自体がパッキングの機能をすることにより内蔵された水が良好に密閉される效果がある。
【００２３】
マッサージローラー８は、麦飯石や花崗岩など天然石材を加工してパック本体部１内に収納することで、温水や冷水は開口部９、１０を通じて良好に流通しながら身体全般に対するマッサージ機能を付与するようになる。本発明は、従来の温熱及び冷マッサージパックの本来機能に比べて健康増進効果が一層改善されるので、一般家庭に本発明のマッサージパックを広く普及する場合国民保健向上にも大きく寄与することができる。
【産業上の利用可能性】
【００２４】
本発明は、健康マッサージパックに関するもので、産業上利用可能性がある。
【図１】
2015531647.tif 000003
【図２】
2015531647.tif 000004
【図３】
2015531647.tif 000005
【図４】
2015531647.tif 000006
【国際調査報告】
2015531647.tif 000007
2015531647.tif 000008
2015531647.tif 000009
2015531647.tif 000010